(57)【特許請求の範囲】
【請求項１】
水栓本体の給水管に挿通される水栓取付板部の上方に水栓本体と共に配置され、水栓本体の下端部に上端部が連結される延長筒と、
前記水栓取付板部の上方に配置され、前記延長筒の内周面に接する外周面を備えると共に給水管により挿通される支柱ブロックと、
前記支柱ブロックと前記水栓本体の位置関係を固定する棒状の部材と、
前記水栓取付板部の下面に配置される座金と、
前記水栓取付板部及び前記座金を挿通し、前記支柱ブロックに下側から螺合連結されるボルトと、
このボルトに螺合連結され前記座金の下面に当接するナットとを有することを特徴とする水栓取付構造。
【請求項２】
水栓本体の給水管に挿通される水栓取付板部の上方に水栓本体と共に配置され、水栓本体の下端部に上端部が連結される延長筒と、
前記水栓取付板部の上方に配置され、前記延長筒の内周面に接する外周面を備えると共に給水管により挿通される支柱ブロックと、
前記水栓取付板部の下面に配置される座金と、
前記水栓取付板部、前記支柱ブロック及び前記座金を挿通し、前記水栓本体に下側から連結されるボルトと、
このボルトに螺合連結され前記座金の下面に当接するナットとを有することを特徴とする水栓取付構造。
【請求項３】
前記延長筒は支柱ブロックの下端部が上面に当接する段部を備える請求項１または２に記載の水栓取付構造。
【請求項４】
水栓本体の給水管に挿通される水栓取付板部の上方に水栓本体と共に配置され、水栓本体の下端部に上端部が連結される延長筒と、
前記延長筒内に挿入され該延長筒内に設けられた段部に下端部が当接すると共に給水管により挿通される支柱ブロックと、
前記水栓取付板部の下面に配置される座金と、
前記水栓取付板部及び前記座金を挿通し、前記支柱ブロックに下側から螺合連結されるボルトと、
このボルトに螺合連結され前記座金の下面に当接するナットとを有することを特徴とする水栓取付構造。
【請求項５】
水栓本体の給水管に挿通される水栓取付板部の上方に水栓本体と共に配置され、水栓本体の下端部に上端部が連結される延長筒と、
前記延長筒内に挿入され該延長筒内に設けられた段部に下端部が当接すると共に給水管により挿通される支柱ブロックと、
前記水栓取付板部の下面に配置される座金と、
前記水栓取付板部、前記支柱ブロック及び前記座金を挿通し、前記水栓本体に下側から連結されるボルトと、
このボルトに螺合連結され前記座金の下面に当接するナットとを有することを特徴とする水栓取付構造。
【請求項６】
前記支柱ブロックと前記水栓本体の位置関係を固定する棒状の部材として、支柱ブロックの上面および水栓本体の下面に形成された穴に両端部を嵌合させて水栓本体に対する支柱ブロックの位置関係を固定する芯金を有する請求項１または４に記載の水栓取付構造。
【請求項７】
前記支柱ブロックにおいて、前記芯金の下端部が嵌合される穴の深さよりも前記ボルトが螺合連結されるねじ穴の深さを大としてある請求項６に記載の水栓取付構造。
【請求項８】
前記段部は延長筒の内周面に環状に形成された溝に嵌合する割りリングである請求項３〜５の何れか一項に記載の水栓取付構造。
【請求項９】
前記支柱ブロックは延長筒内に回転可能に挿入される請求項１〜８の何れか一項に記載の水栓取付構造。
【請求項１０】
前記水栓本体に使用者の手を検出するセンサが取り付けられ、支柱ブロックと水栓取付板部の間に介在する平板部およびこの平板部から垂下して前記センサに接続された信号線を挿通させる配線保護筒を備える配線保護部材を有する請求項１〜９の何れかに記載の水栓取付構造。
【発明の詳細な説明】
【技術分野】
【０００１】
本発明は、水栓取付構造に関するものであり、より詳細には水栓本体を水栓取付板部より高い位置において取り付ける水栓取付構造に関する。
【背景技術】
【０００２】
従来より、水栓本体を水栓取付板部に取り付ける方法として、水栓取付板部に開設された貫通孔の大きさに合わせた直径を有し貫通孔を貫通すると共に水栓本体に螺合される略円筒形状の取付ネジ管と、水栓取付部の下部から取付ネジ管に螺合される締付ナットとを用い、この取付ネジ管と締付ナットの締め付けによって固定する所謂ロックナット方式の水栓取付構造が考えられている。
【０００３】
また、水栓本体の下端に垂下するように取り付けられて水栓取付板部に開設された貫通孔を挿通するボルトと、このボルトを挿通可能に構成された挿通孔を備えて前記水栓取付板部の下面に配置される馬蹄形状の座金と、この座金の挿通孔を挿通するボルトに螺合して締め付けるナットとを有し、ナットの締め付けにより水栓取付板部を狭持して水栓本体を水栓取付板部に取り付ける所謂馬蹄方式の水栓取付構造も考えられている。
【０００４】
前記馬蹄方式はロックナット方式に比べて取付作業を容易に行うことができるだけでなく、水栓取付板部が肉厚である場合にも前記取付ネジ管に比べて安価なボルトを長く形成するだけよいので製造コストを低く抑えることができ、かつ、水栓取付板部に開設された貫通孔の大きさや形状の違いに柔軟に対応することができるので好ましい。しかしながら、ロックナット方式に比べて横方向に加わる力に対して幾らか弱いという問題がある。
【０００５】
一方、近年では水栓本体の周辺デザインに合わせて水栓本体を水栓取付板より高い位置に配置する所謂トールタイプの水栓が用いられており、そのために水栓本体の下端部に略円筒形状の延長筒を連結することが考えられている。ところが、トールタイプの水栓の水栓取付構造に馬蹄方式を採用することは困難であった。すなわち、水栓をトールタイプにする場合、その高さの延長分に合わせてボルトを延長する必要があるが、前記ボルトが長くなればなるほど横方向の応力が加わったときに、ボルトが受ける応力が必然的に増大し、製品的に不安定となるという問題がある。
【０００６】
このため、下記特許文献１では、トールタイプの水栓の水栓取付構造としてロックナット方式を採用することを示している。すなわち、図１０に示すように、締付ナット９０を介して洗面器９１に固設される取付ネジ管９２の上端に、水栓９３の水栓本体９４を取り付けるに際し、取付ネジ管９２の上端と水栓本体２の下端の間に、別体で形成した延長筒９５を介装させて水栓本体９３の高さを高く設置することが提案されている。
【０００７】
【特許文献１】特開平６−２１２６７１号公報
【発明の開示】
【発明が解決しようとする課題】
【０００８】
しかしながら、特許文献１に示すような構成では、基本的にロックナット方式の水栓取付構造であるから、施工が煩雑になるだけでなく、比較的高価な取付ネジ管９２を用いて延長筒９５を固定する必要があり、施工コストが引き上げられるという問題がある。加えて、取付ネジ管９２の直径は水栓取付け板部に開設された貫通孔の直径に厳密に合わせて形成されたものである必要があり、汎用性に欠けるという問題もある。
【０００９】
一方、トールタイプの水栓においては延長筒９５を安定的に水栓本体９４に接合するためには延長筒９５を水栓本体９４に螺着することが好ましいが、螺着による接合を行う場合には接合状態における回転位置を安定して位置決めすることが難しいため、この延長筒９５に直接的にボルトを連結して馬蹄方式で水栓取付板部に取り付けることは困難であった。つまり、トールタイプの水栓は馬蹄方式の水栓取付構造によって固定することは困難であった。
【００１０】
本発明は上述の事柄を考慮に入れてなされたものであって、その目的は、水栓本体を水栓取付板部より高い位置に安定して取り付けることができると共に、取り付けが容易である水栓取付構造を提供することを課題とする。
【課題を解決するための手段】
【００１１】
前記課題を解決するため、第１発明は、水栓本体の給水管に挿通される水栓取付板部の上方に水栓本体と共に配置され、水栓本体の下端部に上端部が連結される延長筒と、前記水栓取付板部の上方に配置され、前記延長筒の内周面に接する外周面を備えると共に給水管により挿通される支柱ブロックと、前記支柱ブロックと前記水栓本体の位置関係を固定する棒状の部材と、前記水栓取付板部の下面に配置される座金と、前記水栓取付板部及び前記座金を挿通し、前記支柱ブロックに下側から螺合連結されるボルトと、このボルトに螺合連結され前記座金の下面に当接するナットとを有することを特徴とする水栓取付構造を提供する（請求項１）。
【００１２】
延長筒内に支柱ブロックを挿入し、水栓本体の下端部に延長筒を延設した状態で支柱ブロックが延長筒内で回転自在とすれば、支柱ブロックと水栓本体の位置合わせを容易に行うことができる。また、ボルトにナットを締付けることにより、ボルトに張力がかかりこのボルトが螺合連結される支柱ブロックの立設状態を安定させることができ、この支柱ブロックが内周面に接する延長筒の立設状態を安定させることができる。つまり、基本的に馬蹄方式と同様に容易に取付を行い、かつ、取付状態を安定させることができる。
【００１３】
前記ボルトは支柱ブロックの下端部に形成された嵌入孔に螺合または溶着または接着によって垂下するように固定され、前記支柱ブロックは延長筒の下端部分において抜止め保持され、前記延長筒は水栓本体の下端に螺合連結されることが好ましい。つまり、ボルトは水栓本体の下部に配置された支柱ブロックと、この支柱ブロックを抜止め保持する延長筒とを介して、水栓本体に連結するものであることが好ましい。
【００１４】
この場合、ボルトとナットの締付けにより、ボルトに加わった張力が支柱ブロックおよび延長筒を介して水栓本体に作用することにより、水栓本体を水栓取付板部に強固に取り付けることができる。加えて、ボルトを短く形成すれば、ボルトとナットの締め付けによって水栓取付板部（およびナット）に近い位置において支柱ブロックを安定して固定することができ、横方向の力に抵抗可能な安定した取付けを行うことができる。
【００１５】
しかしながら、前記ボルトは水栓本体の下端に直接的に螺合するなどして連結されたものであってもよい。この場合、ボルトは延長筒の長さ分だけ長く形成する必要があるが、このボルトは支柱ブロックに形成された嵌入孔を貫通することにより、ボルトとナットによる締付け状態ではボルトに加わる張力によってこのボルトが貫通する嵌入孔の位置を固定して支柱ブロックの姿勢を安定させることができると共に、前記支柱ブロックによって延長筒内のボルトの横方向の位置をナットの近傍の位置において固定することができる。つまり、横方向の力に抵抗して安定した取付けを行うことができる。なお、この場合には、延長筒を水栓本体に嵌合によって取り付けることも可能であり延長筒を螺着する場合に比べて容易に施工することができる。
【００１６】
【００１７】
延長筒内に支柱ブロックを挿入し、支柱ブロックの上面および水栓本体の下面に形成された穴に芯金の両端を挿入した状態で、水栓本体の下端部に延長筒を螺合連結することができるようにしてもよい。このとき、支柱ブロックが延長筒内で回転自在とすれば、支柱ブロックと水栓本体の回転方向の位置がずれることはなく、支柱ブロックに開設された挿通穴に挿通する給水管を捻るような力が加わることもない。また、ボルトにナットを締付けることにより、ボルトに張力がかかり支柱ブロックに下方向の力を加えることができる場合、支柱ブロックの立設状態を安定させることができ、それだけ、この支柱ブロックが挿入された延長筒の立設状態を安定させることができる。
【００１８】
前記ボルトは支柱ブロックの下端部に形成された孔に螺合または溶着または接着によって垂下するように固定されることにより支柱ブロックに連結され、前記支柱ブロックは延長筒の下端部分において抜止め保持され、前記延長筒は水栓本体の下端に螺合連結されることが好ましい。つまり、ボルトは水栓本体の下部に配置された支柱ブロックと、この支柱ブロックを抜止め保持する延長筒とを介して、水栓本体に連結するものであることが好ましい。なお、前記ボルトを嵌合する支柱ブロックの穴は深ければ深いほどボルトとナットによる締め付けを強固に行うことができる。
【００１９】
この場合、ボルトとナットの締付けにより、ボルトに加わった張力が支柱ブロックおよび延長筒を介して水栓本体に作用することにより、水栓本体を水栓取付板部に強固に取り付けることができる。加えて、ボルトを短く形成することができるので、ボルトとナットの締め付けによって水栓取付板部（およびナット）に近い位置において支柱ブロックを安定して固定することができ、横方向の力に抵抗可能な安定した取付けを行うことができる。
【００２０】
一方、請求項６の芯金は支柱ブロックと水栓本体の位置関係を固定することができる程度の強度を有する棒状の部材であり、前記芯金はその上端が螺合または溶着または接着または締まり嵌めによって水栓本体と強固に連結するように嵌合するものであってもよい。同様に、芯金の下端は締まり嵌めまたは接着またはビス止めによって支柱ブロックに強固に嵌合するものであってもよい。この場合、芯金によって水栓本体と支柱ブロックの位置を完全に固定することが可能であるから、前記ボルトは芯金と支柱ブロックとを介して水栓本体に連結することにもなり、より堅牢である。
【００２１】
前記延長筒は支柱ブロックの下端部が（上面に）当接する段部を備える場合（請求項３、４、５）には、この段部が支柱ブロックを抜止め保持される抜止めとなるので、ボルトとナットの締付けにより、ボルトに加わった張力が支柱ブロックを介して延長筒に確実に加わり、この延長筒を介して水栓本体を水栓取付板部にさらに強固に取り付けることができる。
【００２２】
この場合、前記芯金は支柱ブロックと水栓本体の回転方向の位置ずれを阻止するものであり、例えば支柱ブロックの上面および水栓本体の下面に形成された穴に両端部を隙間嵌めして嵌合するものである。すなわち、延長筒を水栓本体に螺合するときに芯金を穴に嵌入するだけで、この芯金によって回転方向の位置ずれを固定でき、延長筒を水栓本体に螺合連結するときに、支柱ブロックが回転することなく給水管などに傷を付けることがない。なお、両穴の深さは延長筒を水栓本体に螺合するとき、また、取付け板に取り付けるときの支柱ブロックの位置ずれを固定できる深さがあればよい。
【００２３】
第２発明は、水栓本体の給水管に挿通される水栓取付板部の上方に水栓本体と共に配置され、水栓本体の下端部に上端部が連結される延長筒と、前記延長筒内に挿入され該延長筒内に設けられた段部に下端部が当接すると共に給水管により挿通される支柱ブロックと、前記水栓取付板部の下面に配置される座金と、前記水栓取付板部及び前記座金を挿通し、前記支柱ブロックに下側から螺合連結されるボルトと、このボルトに螺合連結され前記座金の下面に当接するナットとを有することを特徴とする水栓取付構造を提供する（請求項４）。
【００２４】
前記構成よりなる水栓取付構造によれば、延長筒内に支柱ブロックを挿入した状態で、水栓本体の下端部に延長筒を連結することができる。このとき、円筒状の延長筒に挿入された支柱ブロックは延長筒内で回転自在とすれば、支柱ブロックと水栓本体の回転方向の位置がずれないようにすることができる。また、ボルトにナットを締付けることにより、ボルトに張力がかかり支柱ブロックに下方向の力を加えることができるので、段部を介して延長筒を立設状態に安定して固定することができる。
【００２５】
前記支柱ブロックの下端部にはボルトが嵌入する嵌入孔を形成し、この嵌入孔にボルトを螺合または溶着または接着するものであることが好ましい。つまり、ボルトは水栓本体の下部に配置された支柱ブロックと、この支柱ブロックを抜止め保持する延長筒とを介して、水栓本体に連結する。
【００２６】
前記ボルトが、支柱ブロックの下端部つまりナットに最も近い位置において、支柱ブロックに固定されることにより、ボルトとナットの締付状態における安定性が向上し、横方向の力に抵抗可能な安定した水栓の取付けを行うことができる。
【００２７】
前記段部は延長筒の内周面に環状に形成された溝に嵌合する割りリングである場合（請求項８）には、延長筒の内周面を切削することにより容易に溝を形成することができ、この溝に割りリングを嵌合させることにより、支柱ブロックを抜止め保持する段部を形成することができる。また、水栓本体に取り付けた延長筒の下端から支柱ブロックを挿入した状態で溝に割りリングを嵌合させて段部を形成可能であるから、水栓の取付けを容易に行うことができる。加えて、割りリングを溝から外すことにより支柱ブロックを延長筒の下端から取り外すことが可能となり、メンテナンスが容易となる。
【００２８】
前記水栓本体に使用者の手を検出するセンサが取り付けられ、支柱ブロックと水栓取付板部の間に介在する平板部およびこの平板部から垂下して前記センサに接続された信号線を挿通させる配線保護筒を備える配線保護部材を有する場合（請求項１０）には、取付時に自動水栓の信号線を座金などによって傷つけることがないように配線保護筒によって保護することができるので、施工が容易であると共に信頼性が向上する。
【発明の効果】
【００２９】
前述したように、本発明によれば、水栓本体の下端部に延長筒を連結して水栓の高さを調節し、貫通孔に容易かつ強固に取り付けることができる。水栓本体をボルトと座金とナットを用いて貫通孔に取り付けることにより取付けが容易である。また、取り付けられた水栓本体に延設される延長筒内には支柱ブロックが挿入され、この支柱ブロックがボルトとナットの締め付け状態において立設状態を安定して保持するので、水栓の立設状態を安定して保持することができる。
【発明を実施するための最良の形態】
【００３０】
図１〜図６は、本発明の第１実施形態に係る水栓取付構造１の構成と、この水栓取付構造１を用いた水栓の取付け方法を示す図である。図１に示すように、本発明の水栓取付構造１は水栓本体２を洗面所の水栓取付板部３より高い位置に固定することにより、洗面ボール４の形状に合わせた高さ位置に水栓本体２を取り付けるものである。
【００３１】
図２、図３に示すように、前記水栓取付構造１は水栓本体２の下端に螺合連結される延長筒１０と、この延長筒１０内に挿入される支柱ブロック１１と、この支柱ブロック１１の上面に形成された穴１１ａおよび前記水栓本体２の下面に形成された穴２ａに両端部を嵌合させて水栓本体２に対する支柱ブロック１１の位置関係を固定する芯金１２と、支柱ブロック１１の下面に螺合連結されたボルト１３と、このボルト１３を挿通する開口部を形成し支柱ブロック１３と水栓取付部３の間に介在する配線保護部材１４と、前記ボルト１３を挿通可能に構成された挿通孔１５ａを備えて前記水栓取付板部３の下面に配置される座金１５と、この座金１５の挿通孔１５ａを挿通するボルト１３に螺合して締め付けるナット１６とを備える。
【００３２】
また、１７は配線保護部材１４と水栓取付板部３の間に介在するパッキン、１８は座金１５と水栓取付板部３の間に介在するパッキンである。また、支柱ブロック１１および配線保護部材１４には延長筒１０の内周面に安定した接触を行うＯリング１９ａ，１９ｂを設けてもよい。なお、このＯリング１９ａ，１９ｂを省略して、水栓取付構造１の製造コストを削減してもよい。
【００３３】
前記水栓本体２には使用者の手を検出するセンサ２０が取り付けられて自動水栓を構成し、給水管２１に連通連結される水流路２２と、前記センサ２０およびこれに電気的に接続されるセンサ駆動回路２３を収容する回路収容空間２４とを備える。加えて、本実施形態の水栓本体２は前記水流路２２の先端部の吐水口２ｂに外気を混入させる泡沫器２５を備える。前記センサ駆動回路２３は信号線２６によって図外の制御回路に接続され、この制御回路はセンサ２０が使用者を検知するときに給水２１に設けた電磁弁を開放することにより自動的に吐水するように制御するものである。なお、本実施形態に示す水栓は単水栓の自動水栓であるが、本発明の水栓取付構造１は湯水混合栓であっても手動の水栓であっても適用可能である。
【００３４】
前記水栓取付板部３は例えば台所、洗面所、浴室などに設けられ、前記水栓本体２を取り付けるための貫通孔３ａが形成された板状部分であり、台所のシンクの周辺、洗面ボールの周辺、浴室のバスタブなどを構成する部分である。貫通孔３ａの大きさは給水管２０と前記ボルト１３と信号線２６とを挿通することができ、前記延長筒１０の外径より小さい穴である。
【００３５】
前記洗面ボール４は前記吐水口２ｂから吐水される水を受け止めるものであり、近年ではデザイン性を重視した種々の形状が考えられている。なお、水栓本体２を取り付ける位置によってはシンク、バスタブなどによって水を受けることができることはいうまでもない。
【００３６】
前記延長筒１０は水栓本体２の下端部とほぼ同径の筒状部材であり、その上端部の外周に雄ねじ部１０ａを形成し、この雄ねじ部１０ａによって水栓本体２の下端部の内周に形成した雌ねじ部２ｃに螺合連結できるように構成している。また、延長筒１０の下端部には前記支柱ブロック１１の外径よりも小径となる段部１０ｂを備える。なお、本実施形態において段部１０ｂは延長筒１０に一体的に形成されたものであるが、この段部１０ｂは延長筒１０の下端部にリング状の止め輪を圧入または螺合連結して形成してもよい。
【００３７】
図４は前記支柱ブロック１１の構成を示す図である。図４に示すように、前記支柱ブロック１１は前記延長筒１０の内周面に接する外周面を備える略円柱形状のブロックであり、前記芯金１２を挿入する前記穴１１ａと、前記ボルト１３を螺合連結する雌溝を形成したネジ穴１１ｂと、前記給水管２１を挿通する挿通孔１１ｃと、前記信号線２６を挿通する挿通孔１１ｄとを形成し、外周部には前記Ｏリング１９ａを嵌入するための溝１１ｅを形成している。また、支柱ブロック１１の高さＨは前記ボルトおよびナットによる締付状態において水栓取付板部に立設する支柱となることにより延長筒１０の立設状態を安定して保持できる程度の高さを有し、延長筒１０および支柱ブロック１１の強度によって適宜選択できるが、本実施形態の場合は例えば２３．５ｍｍである。
【００３８】
また、前記穴１１ａの深さｈ１は前記芯金１２の嵌合によって水栓本体２に対する支柱ブロック１１の位置関係を固定することができる程度の深さであり、本実施形態では深さ８ｍｍの穴１１ａを形成している。加えて、前記ネジ穴１１ｂの深さｈ２は前記ボルト１３を用いて水栓取付板部３の貫通孔３ａを挟み込むために必要な強度を得るために必要な深さであり、本実施形態では深さ１３．５ｍｍのネジ穴１１ｂを形成している。
【００３９】
前記芯金１２は前記穴２ａ，１１ａの内径より僅かに小さい外径を有する金属からなる棒状体であり、その両端が前記穴２ａ，１１ａに嵌合する状態で回転方向の位置ずれを固定することができ、かつ、水栓本体２に横方向から加わる応力に耐えることができる強度を有するものである。本実施形態では例えばステンレス製の直径６ｍｍの棒状体である。また、前記ボルト１３は水栓取付板部３を狭持することができる長さを有する雄ねじ部材であり、その下端部にはボルト１３をネジ穴１１ｂに螺合連結するためのドライバー挿入溝１３ａを形成している。なお、本実施形態において芯金１２の上下端部は穴２，１１ａに隙間嵌めする例を示しているが、締まり嵌め、接着、溶接などの手段によって固着するようにしてもよい。
【００４０】
図５は前記配線保護部材１４の構成を示す図である。図５に示すように、配線保護部材１４は支柱ブロック１１と水栓取付板部３の間に介在する略円盤形状の平板部１４ａおよびこの平板部１４ａから垂下して前記センサ２０に接続された信号線２６を挿通させる配線保護筒１４ｂを備える。さらに、前記平板部１４ａには給水管２１およびボルト１３を挿通することができる挿通孔１４ｃを形成し、その外周部には前記Ｏリング１９ｂを嵌入するための溝１４ｄとを形成している。
【００４１】
前記座金１５はちょうど馬蹄のように略Ｃ字形状の平板部１５ｂと、この平板部１５ｂに連結する湾曲部１５ｃとを備え、この湾曲部１５ｃの下端部に前記挿通孔１５ａを形成してある。
【００４２】
前記パッキン１７は前記平板部１４ａの形状に合わせてリング状であり、前記パッキン１８は前記座金の平板部１５ｂの形状にあわせた馬蹄形状であり、前記ボルト１３を挿通する挿通孔１８ａ（図６参照）を形成している。
【００４３】
次に、図６を用いて、前記構成の水栓取付構造１を用いた水栓本体２の取付け方法を説明する。
【００４４】
すなわち、延長筒１０内に支柱ブロック１１を挿入し、支柱ブロック１１に形成した挿通孔１１ｃに給水管２１、挿通孔１１ｄに信号線２６を挿通させ、また、前記平板部１４ａに形成した挿通孔１４ｃに給水管２１と前記ボルト１３を挿通させると共に、配線保護筒１４ｂ内に信号線２６を挿通させ、前記パッキン１７を介在させた状態で給水管２１、ボルト１３、配線保護筒１４ｂを水栓取付板部３の貫通孔３ａ内に挿入する。
【００４５】
一方、前記水栓本体２の下端部に設けた給水口２ｄに給水管２１を螺合連結して給水管２１と水流路２２を連通連結させ、前記穴２ａ、１１ａに芯金１２の上下端部をそれぞれ嵌合させた状態で、延長筒１０の上端に形成した雄ねじ部１０ａを矢印Ａに示すように回転させて水栓本体２の下端部に設けた雌ねじ部２ｃに螺合連結する。このとき、支柱ブロック１１は延長筒１０に対して回転自在に挿入されるものであるから、支柱ブロック１１と延長筒１０の回転方向の位置を固定した状態で、延長筒１０のみを矢印Ａの方向に回転させて、これを水栓本体２に強固に連結することができる。
【００４６】
次いで、貫通孔３ａの下面に突出するボルト１３を挿通させるようにパッキン１８および座金１５を配置し、挿通孔１５ａから下方に突出するボルト１３にナット１６を締め付ける。このとき、ボルト１３とナット１６の締め付けによって、座金１５と支柱ブロック１１が互いに引き寄せられることにより、延長筒１０の下端部に設けた段部１０ｂ、配線保護部材１４、パッキン１７，１８を挟んだ状態で水栓取付板部３を狭持することができる。つまり、支柱ブロック１１はボルト１３とナット１６の締め付けによって立設状態を強固に保つことができると同時に、延長筒１０の段部１０ｂを挟んでいるので、延長筒１０を下方に引き下げる力を加えることができる。
【００４７】
なお、前記座金１５は略Ｃ字状の馬蹄形状であるから、この座金１５は給水管２１および配線保護筒を挿通させる必要はなく、それだけ、施工が容易である。また、ボルト１３の長さを長くすれば水栓取付板部３の肉厚の違いに十分に対応することができる。加えて、座金１５に湾曲部１５ｃを形成しているので座金１５は立体的な形状となり、締め付け応力に耐えることができる。さらに、水栓取付板部３に形成される貫通孔３ａの大きさは給水管２１とボルト１３と配線保護部材１４ｂとを挿入可能であり、かつ、前記延長筒１０の水平断面積より小さい面積を有するものである。
【００４８】
また、前記信号線２６は配線保護筒１４ｂ内を挿通するので、座金１５が信号線２６に当たってこれを傷つけることがなく、水栓本体２の信頼性を高く保つことができると共に取付け作業を容易に行うことができる。
【００４９】
ボルト１３にナット１６を締め付けることによりボルト１３に張力をかけて、支柱ブロック１１と座金１５の間を締付けて、段部１０ｂと平板部１４ａとパッキン１８を挟んだ状態でこれらに下向きの力を加え、水栓取付板部３を狭持することができる。このとき、支柱ブロック１１はその下端部にボルトを固定するものであるから、支柱ブロック１１はボルト１３とナット１６による締付けによってナット１６に近い位置Ｐにおいて立設状態となるように強固に固定することができる。同時に延長筒１０の下端に設けた段部１０ｂが支柱ブロック１１によって下方に押し付けられると共に、延長筒１０の内周面に支柱ブロック１１の外周面が接するので支柱ブロック１１に支えられて延長筒１０を立設状態に固定することができ、延長筒１０に螺合連結される水栓本体２の立設状態を安定させることができる。
【００５０】
加えて、支柱ブロック１１の高さＨがボルト１３およびナット１６による締付状態において水栓取付板部３に立設する支柱となることにより延長筒１０の立設状態を安定して保持できる程度であるから、水栓本体２に横方向に加わる応力に抵抗して立設状態を保つことができる。なお、支柱ブロック１１の高さＨは高くなればなるほど延長筒１０の立設状態を安定して保持することができる。また、芯金１２の両端部が水栓本体２と支柱ブロック１１の穴に嵌合されることにより、水栓本体２と支柱ブロック１１の回転方向の位置関係が固定されているので、水栓本体２に加わる応力に対してさらに強力に抵抗することができる。
【００５１】
図７は前記水栓取付構造１の変形例を示す図である。図７に示すように、芯金１２の上端に水栓本体２の下端に形成された雌ねじ穴２ｅに螺合連結される雄ねじ部１２ａを形成し、芯金１２の下端部には前記穴１１ａに挿入された状態で穴１１ａの底面を貫通して設けたビスＢを取り付ける雌ねじ部１２ｂを形成する。このように構成することにより、芯金１２の上下端部を水栓本体２および支柱ブロック１１に固定することができ、堅牢性がさらに向上する。
【００５２】
水栓本体２に対する芯金１２の取付け部分は溶接や接着剤を用いたものであっても締まり嵌めするものであってもよい。また、支柱ブロック１１に対する芯金１２の取付け部分は締まり嵌めや接着剤を用いたものであってもよい。
【００５３】
図８は本発明の第２実施形態にかかる水栓取付構造３０の構成を示す図である。図８に示す水栓取付構造３０が図１〜図７に示す水栓取付構造１と異なる点は、前記ボルト１３の代わりに上端部に前記水栓本体２の下端部に設けた雌ねじ孔２ｅに螺合連結される雄ねじ部３１ａを備え下端部に前記ナット１６に螺合連結される雄ねじ部３１ｂを形成するボルト３１を備える点と、支柱ブロック１１にボルト３１の外周部に接する挿通孔１１ｆを備える点と、延長筒１０の上端部に水栓本体２の下端部に設けた凹部に嵌合させる小径部１０ｃを形成している点である。
【００５４】
前記構成の水栓取付構造３０によれば、ボルト３１の上端の雄ねじ３１ｂを水栓本体２に直接螺合連結するので、ボルト３１とナット１６の締付けによって水栓本体２と座金１５との間で、延長筒１０と平板部１４とパッキン１７を挟んで水栓取付板部３に押し付けられることにより、水栓本体２を水栓取付板部３に取り付けることができる。また、ボルト３１はその中間部分において支柱ブロック１１の挿通孔１１ｆ内に接するように嵌合するので、ボルト３１とナット１６の締付状態においてボルト３１に加わるテンションが大きくなればなるほど支柱ブロック１１を立設状態に安定して保持することができ、また、延長筒１０内のボルト３１の位置を固定することができる。
【００５５】
つまり、延長筒１０の立設状態は支柱ブロック１１によって安定するので、所謂馬蹄方式によってトールタイプの水栓を取り付けることができる。なお、前記延長筒１０と水栓本体２の接合部にはセレーションを形成して水栓本体２と延長筒１０の回転方向の位置ずれを抑えるようにしてもよい。その他にも、図１〜図７に示す第１実施形態と同様の変形を行うことも可能である。
【００５６】
図９は本発明の第３実施形態にかかる水栓取付構造４０の構成を示す図である。図９に示す水栓取付構造４０が図１〜図８に示す水栓取付構造１，３０と異なる点は、延長筒１０の下端部分の内周面を切削して形成された環状に形成された溝１０ｄと、この溝１０ｄに嵌合する割りリングからなる止め輪４１とを備える点である。前記溝１０ｄは止め輪４１を嵌合させた状態で下方向への移動を阻止するものである。また、止め輪４１は支柱ブロック１１の下端部に当接することにより支柱ブロック１１を延長筒１０に抜止め保持するものである。
【００５７】
第３実施形態の水栓取付構造４０によれば、水栓本体２に給水管２１を接続し、水栓本体２に延長筒１０を螺合連結した後に、延長筒１０の下端部から支柱ブロック１１を挿入し、前記溝１０ｄに割りリング４１を嵌合することにより、支柱ブロック１１の抜止めを行うことが可能となり、それだけ水栓の取付けが容易となる。加えて、溝１０ｄに嵌合された割りリング４１を取り外すことにより、延長筒１０の下端から支柱ブロック１１を引き抜くことが可能となり、メンテナンスを容易とすることも可能である。
【図面の簡単な説明】
【００５８】
【図１】本発明の水栓取付構造によって取り付けられる水栓を示す図である。
【図２】第１実施形態の水栓取付構造を正面から見た一部断面図である。
【図３】前記水栓取付構造の縦断側面図である。
【図４】前記水栓取付構造の支柱ブロックの構成を示す図である。
【図５】前記水栓取付構造の配線保護部材の構成を示す図である。
【図６】前記水栓取付構造の一部を透過して示す分解斜視図である。
【図７】前記水栓取付構造の変形例を示す図である。
【図８】第２実施形態の水栓取付構造を示す図である。
【図９】第３実施形態の水栓取付構造を示す図である。
【図１０】従来の水栓取付構造の例を示す縦断側面図である。
【符号の説明】
【００５９】
１，３０，４０  水栓取付構造
２              水栓本体
３              水栓取付板部
３ａ            貫通孔
１０            延長筒
１０ｂ          段部
１１            支柱ブロック
１１ａ          穴
１１ｂ，１１ｆ  嵌入孔
１１ｃ，１１ｄ  挿通孔
１２            芯金
１３，３１      ボルト
１４            配線保護部材
１４ａ          平板部
１４ｂ          配線保護筒
１５            座金
１５ａ          挿通孔
１６            ナット
１０ｄ          溝
４１            割りリング
Ｈ              高さ
【図１】
0004644260.tif 000002
【図２】
0004644260.tif 000003
【図３】
0004644260.tif 000004
【図４】
0004644260.tif 000005
【図５】
0004644260.tif 000006
【図６】
0004644260.tif 000007
【図７】
0004644260.tif 000008
【図８】
0004644260.tif 000009
【図９】
0004644260.tif 000010
【図１０】
0004644260.tif 000011